(57)【特許請求の範囲】
【請求項１】
パウチの上部と下部が、フィルムを内側に折り返してなるガセット形式で形成され、胴部が、前後２面の壁面フィルムの両側の端縁部を胴部ヒートシール部でヒートシールして形成されるパウチにおいて、パウチ上部の少なくとも前後いずれか一方の端部の一部に、壁面フィルムとこれに対向するガセット部のフィルムを延長して、周縁部がヒートシールにより封止されてなる突出する形状の注出口部が設けられると共に、上下のガセット部のうち、注出口部が延設された部分を除く部分が舟底形のシールパターンでヒートシールされ、また、パウチ両側の胴部ヒートシール部が、それぞれパウチの中心側に弓状に湾曲する湾曲部を有するシールパターンでヒートシールされ、更に、少なくとも注出口部が延設されている壁面フィルムに、その注出口部からパウチの底部近傍にかけて、外側に膨らむ膨らみ部が設けられていることを特徴とする変形ガセットパウチ。
【請求項２】
パウチ上部の両側の角部が、舟底形のシールパターンに対応する形状に切り欠かれていることを特徴とする請求項１記載の変形ガセットパウチ。
【請求項３】
前記注出口部に易開封性手段が設けられていることを特徴とする請求項１または２に記載の変形ガセットパウチ。
【発明の詳細な説明】
【０００１】
【発明の属する技術分野】
本発明は、液体、粉体など流動性を有する内容物を密封包装するために用いられる変形ガセットパウチに関し、更に詳しくは、自立性を有し、立体的形状を有すると共に、開封時に内容物を他の容器に安全且つ容易に移し替えられるよう、簡易形式の注出口が設けられた変形ガセットパウチに関する。
【０００２】
【従来の技術】
従来、各種液体洗剤、クレンザー、柔軟剤、エマルジョン糊などのほか、醤油、ソース、めんつゆなどの液体調味料など、液状物や、粉乳、ココアなどの粉体などは、主に、プラスチックボトル、ガラス瓶、金属缶などの保形性のある容器に充填され、流通、使用に供され、使用後の容器は廃棄処分されていた。
また、一方、廃棄物処理の問題もあり、これらの容器は、使用後分別処理し、回収、リサイクルすることも進められている。
しかし、このような保形性容器は、資源の消費傾向が強く、商品に占める容器コストの割合も無視できないものがあった。
【０００３】
このような見地から、ラミネートフィルムなど軟包装材料によるパウチなど、より低価格の簡易容器に充填したものを流通させ、使用後の前記ボトルなどの容器に同一内容物を補充する、所謂詰め替えが、単に価格面だけでなく省資源的な見地からも推進されるようになってきた。
【０００４】
このような詰め替え用のパウチは、種々の形態に加工することができ、例えば、製袋性に優れたピロー形式、三方シール形式、四方シール形式などのパウチや、使用フィルム面積の割に充填容量の大きいガセットパウチ、或いは底部に自立能を付与したスタンディングパウチなどいずれも利用することができる。
このようなパウチは、前記従来の保形性容器と比較して薄く、剛性がないため、保形性に劣るという欠点はあるが、耐内容物性や内容物の化学的変化に対する保護性などは、材料フィルムの積層構成の選択により充分に対応することができる。また、材料の消費量が少なく、軽量であり、コンパクトに包装できるので、物流費の削減にも寄与でき、更に、使用後の廃棄処理も容易である。
【０００５】
しかし、パウチの場合、特にピロー形式、三方シール形式、四方シール形式、および通常のガセット形式のパウチでは、自立性がないため、店頭での陳列効果に劣り、また、開封した時や、内容物の移し替えの際に、内容物をこぼし易いという問題があった。
この点、スタンディングパウチの場合は、自立性があり陳列効果、および開封時に内容物をこぼし易いといった問題は、ある程度改善される。しかし、剛性がなく、上部が通常のパウチと同様な形態であるため、保形性とか立体容器としての外観に今一つ欠けると同時に、開封後、内容物を他の容器に移し替える際、特に容器の口径が小さい場合、パウチから流出する内容物と、移し替える容器の口部とを安定して一致させることが難しく、詰め替えを安全、且つ容易に行うという点ではなお問題があった。
【０００６】
【発明が解決しようとする課題】
本発明は、以上のような問題点を解消するためになされたものであり、パウチの長所、即ち、加工性、内容物の保存性に優れ、軽量で嵩張らず、安価であるなどの特徴を生かし、且つ、その欠点である詰め替えの際の安全性、容易性を改善すると共に、自立性があり、外観面でも保形性容器に近く、店頭での陳列効果にも優れた詰め替え用などに好適に用い得るパウチを提供することを課題とするものである。
【０００７】
【課題を解決するための手段】
上記の課題は、以下の本発明により解決することができる。
即ち、請求項１に記載した発明は、パウチの上部と下部が、フィルムを内側に折り返してなるガセット形式で形成され、胴部が、前後２面の壁面フィルムの両側の端縁部を胴部ヒートシール部でヒートシールして形成されるパウチにおいて、パウチ上部の少なくとも前後いずれか一方の端部の一部に、壁面フィルムとこれに対向するガセット部のフィルムを延長して、周縁部がヒートシールにより封止されてなる突出する形状の注出口部が設けられると共に、上下のガセット部のうち、注出口部が延設された部分を除く部分が舟底形のシールパターンでヒートシールされ、また、パウチ両側の胴部ヒートシール部が、それぞれパウチの中心側に弓状に湾曲する湾曲部を有するシールパターンでヒートシールされ、更に、少なくとも注出口部が延設されている壁面フィルムに、その注出口部からパウチの底部近傍にかけて、外側に膨らむ膨らみ部が設けられていることを特徴とする変形ガセットパウチからなる。
【０００８】
上記において、舟底形のシールパターンは、通常のスタンディングパウチの底部に用いられているような内側が湾曲線で形成されるパターンでもよく、また、一定幅の底部から両側が対称形に傾斜を持って直線状に立ち上がるパターンでもよい。そして、パウチの下部には舟底形のシールパターンをそのまま使用するが、上部には、天地を逆にして、逆舟底形のシールパターンとして用いるものである。
【０００９】
また、注出口部が延設されている壁面フィルムに、その注出口部からパウチの胴部にかけて設けられる外側に膨らむ膨らみ部の形状は、例えば、注出口部からパウチ胴部の上部の一部までは、その幅と高さが大きく、その先の中間部では、パウチの下部に向かって徐々に幅と高さを小さくし、下部では垂直な押し罫状となるように設けることができる。
このような膨らみ部は、注出口部が延設されている壁面フィルムだけでなく、これと対向するガセット部のフィルム側にも同様な形状で反対側に膨らむように対称形に設けることができ、それにより注出口部の開口性を一層向上させることができる。
【００１０】
以上のような構成を採ることにより、パウチの天面と底面の両方が舟底形のシールパターンでヒートシールされたガセット部で形成されるため、内容物を充填したパウチは、例えば六角柱のような形状となり、一層立体容器に近い安定した外観となる。また、底面の外周にはヒートシール部による脚部が形成されるため、パウチの自立性も向上する。
【００１１】
そして、パウチ上部の外周の一部には、注出口部が上方に突出するように設けられ、且つ、その注出口部からパウチの胴部にかけて、前記のような外側に膨らむ膨らみ部が設けられているので、内容物をボトルなどに移し替える際には、注出口部の先端部を切り取るだけで、自動的に保形性のよい注出口が開口される。そして、パウチを手で持って、注出口部をボトルの口部に差し込み、徐々に傾けることにより、前記中間部から下部の膨らみ部が外折れしてパウチが広がるため、内容物が注出口部にスムーズに流動し、注出の途中で注出口が閉じることもなく安全且つ容易に内容物をボトルに移し替えることができる。
尚、前記膨らみ部の下部の垂直な押し罫状の部分は、そのリブ効果により、パウチの自立性、形態安定性を向上させる効果も有するものである。
【００１２】
請求項２に記載した発明は、パウチ上部の両側の角部が、舟底形のシールパターンに対応する形状に切り欠かれていることを特徴とする請求項１記載の変形ガセットパウチからなる。
【００１３】
このような構成を採ることにより、前記請求項１に記載した発明の作用、効果に加えて、パウチ上部の両側の角部上面に、逆舟底形のヒートシール部によって生じる溝状の窪み部がなくなるため、陳列中などにその部分に塵埃が溜まることもなくなり、また、形状、外観もスマートにできる。
【００１４】
また、請求項１に記載した発明において、パウチ両側の胴部ヒートシール部の湾曲部の大きさは、パウチの寸法によっても異なるが、高さが１５〜２２ｃｍ程度のパウチの場合、最大部でシール幅が２〜５ｍｍ大きくなる程度が適当である。
【００１５】
パウチ両側の胴部ヒートシール部が、それぞれパウチの中心側に弓状に湾曲する湾曲部を有するシールパターンでヒートシールされた構成を採ることにより、パウチの高さ方向の中間部がなだらかに狭められた形状となるため、パウチに内容物が充填された時、内容物によるパウチの膨らみ形状が安定したものとなり、外観を一層向上させることができる。
【００１６】
そして、請求項３に記載した発明は、前記注出口部に易開封性手段が設けられていることを特徴とする請求項１または２に記載の変形ガセットパウチである。
【００１７】
上記易開封性手段としては、通常のパウチでも多用されるＶ字型や一字型などのノッチのほか、レーザー光照射などによるハーフカット線、或いは、パウチの積層フィルム中に一軸延伸フィルムを積層する方法（この場合、一軸延伸フィルムは、その延伸方向が注出口部の開封方向と一致するように用いる）などがあり、これらは単独で用いてもよく、また、例えば、ノッチと一軸延伸フィルムの積層、またはノッチとハーフカット線などのように適宜組み合わせて用いることもできる。
【００１８】
ハーフカット線を設ける場合、直線状のハーフカット線に限らず、ミシン目状など断続的なハーフカット線で設けることもできる。
また、このようなハーフカット線は、１本でもよいが、引き裂き方向がずれた場合を想定して、中心のハーフカット線の両側に各１本、または各２本など複数のハーフカット線を平行に設けることもできる。
【００１９】
特に、本発明のように、注出口部に膨らみ部が設けられている場合は、注出口部の開封に鋏などを用いる場合は問題ないが、手で引き裂いて開封する場合、引き裂きの方向性が不安定になり易く、上記のように易開封性手段を組み合わせて用いることが一層好ましい。
【００２０】
このような構成を採ることにより、前記請求項１または２に記載した発明の作用、効果に加えて、注出口部を開封する際、鋏などの道具を必要とせず、手だけで、所望の位置で容易に注出口部の先端部を切り取って、注出口を開口させることができる。
【００２１】
尚、本発明において変形ガセットパウチの名称は、通常のガセットパウチではフィルムの折り込み部が、左右両側の側面に設けられるのに対して、本発明のパウチでは、上下両側の端縁部に設けているためこの名称を付けたものである。
また、前記パウチ上部のガセット部の上端の一部に設けられる注出口部の幅および長さなどの形状は、特に限定されるものではなく、パウチに充填される内容物の流動性、および、移し替えを行うボトルなどの容器の口部のサイズを考慮して適宜設定することが好ましい。
【００２２】
【発明の実施の形態】
以下に、本発明の変形ガセットパウチに用いるフィルム、およびパウチの製造方法などについて説明する。
先ず、本発明の変形ガセットパウチの製造に用いるフィルムは、特に限定はされず、液状などの内容物の包装用パウチに用いられている公知のフィルムは、いずれも使用することができ、包装する内容物の種類や充填後の加熱処理の有無など、使用条件に応じて適する材料を自由に選択して使用することができる。
本発明の変形ガセットパウチには、主にプラスチックを主体とする積層フィルムを用いるが、その構成の具体例としては、以下のようなものが挙げられる。
【００２３】
(1) ＯＮフィルム／接着剤／Ｌ・ＬＤＰＥフィルム（シーラント層）
(2) ＯＮフィルム／接着剤／一軸延伸ＨＤＰＥフィルム／接着剤／Ｌ・ＬＤＰＥフィルム（シーラント層）
(3) ＯＮフィルム／接着剤／一軸延伸ＰＰフィルム／接着剤／Ｌ・ＬＤＰＥフィルム（シーラント層）
(4) ＯＮフィルム／接着剤／一軸延伸ＰＰフィルム／接着剤／アルミニウム箔／接着剤／Ｌ・ＬＤＰＥフィルム（シーラント層）
(5) ＯＮフィルム（シリカ又はアルミナ蒸着層）／接着剤／一軸延伸ＨＤＰＥフィルム／接着剤／Ｌ・ＬＤＰＥフィルム（シーラント層）
(6) ＯＮフィルム／アンカーコート層／共押し出しコート層（ＨＤＰＥ層／Ｌ・ＬＤＰＥ層）（シーラント層は、Ｌ・ＬＤＰＥ層）
(7) ＯＮフィルム／アンカーコート層／共押し出しコート層（ＨＤＰＥ層／ＬＤＰＥ層）／接着剤／Ｌ・ＬＤＰＥフィルム（シーラント層）
(8) ＰＥＴフィルム／接着剤／アルミニウム箔／接着剤／ＯＮフィルム／接着剤／Ｌ・ＬＤＰＥフィルム（シーラント層）
(9) ＰＥＴフィルム／接着剤／アルミニウム箔／接着剤／ＯＮフィルム／接着剤／ＣＰＰフィルム（シーラント層）
(10)ＰＥＴフィルム／接着剤／ＯＮフィルム／接着剤／アルミニウム箔／接着剤／Ｌ・ＬＤＰＥフィルム（シーラント層）
(11)ＰＥＴフィルム／接着剤／ＯＮフィルム／接着剤／アルミニウム箔／接着剤／ＣＰＰフィルム（シーラント層）
(12)ＰＥＴフィルム／接着剤／ＥＶＯＨフィルム／接着剤／ＯＮフィルム／接着剤／ＣＰＰフィルム（シーラント層）
などが挙げられるが、これらに限定されるものではなく様々な組み合わせの積層フィルムを使用することができる。
【００２４】
上記において、ＯＮフィルムは２軸延伸ナイロンフィルム、Ｌ・ＬＤＰＥは直鎖状低密度ポリエチレン、ＨＤＰＥは高密度ポリエチレン、ＬＤＰＥは低密度ポリエチレン、ＰＰフィルムはポリプロピレンフィルム、ＰＥＴフィルムは２軸延伸ポリエチレンテレフタレートフィルム、ＥＶＯＨフィルムはエチレン−酢酸ビニル共重合体ケン化物フィルム、ＣＰＰフィルムは無延伸ポリプロピレンフィルムを指すものである。
また、アンカーコートは、押し出しコーティングで樹脂を積層する際、接着性を向上させるために基材フィルム側に予めコーティングするものでプライマーコートの一種である。
【００２５】
前記の積層フィルムの構成において、ＯＮフィルム、ＰＥＴフィルムは、基材フィルムとしてパウチに機械的強度や印刷適性を付与し、一軸延伸ＨＤＰＥフィルム、一軸延伸ＰＰフィルムは、その延伸方向をパウチを開口させる際の引き裂き方向と一致するように用いることにより、引き裂きの方向性を一層安定化させることができる。
そして、アルミニウム箔、シリカ又はアルミナ蒸着層、ＥＶＯＨフィルムなどは、ガスバリヤー性を付与するために積層するものである。
【００２６】
また、シーラント層としては、Ｌ・ＬＤＰＥフィルムとＣＰＰフィルムの２種類の例を挙げたが、Ｌ・ＬＤＰＥフィルムは、ヒートシールの安定性や耐内容物性、例えば界面活性剤に対する耐ストレスクラッキング性などに優れ、ＣＰＰフィルムは、耐熱性、低臭性に優れており、これらの性能を必要とする内容物の包装用に適している。
【００２７】
シーラント層には上記のほか、充填される内容物に応じて、エチレン・αオレフィン共重合体、エチレン・酢酸ビニル共重合体、エチレン・アクリル酸共重合体、エチレン・アクリル酸エステル共重合体、アイオノマー、ポリエステル系樹脂なども適宜選択して使用することができる。
【００２８】
特に、エチレン・αオレフィン共重合体でメタロセン系触媒などシングルサイト触媒を用いて重合したものは、分子量分布の幅が狭く、共重合比も安定しているため、低温ヒートシール性や、熱間シール性に優れており、ガセットパウチなどのようなヒートシール部にフィルムの重なりの差による段差のあるパウチのシーラント層には、シール抜けによるピンホールの発生を防止できる点で適している。
更に、前記共重合体にオレフィン系エラストマーをブレンドしたものを用いることにより、シーラント層の熱流動性が改善され、前記段差によるピンホールの発生も一層効果的に防止することができる。
【００２９】
次に、以上のような積層フィルムを用いて製造する本発明の変形ガセットパウチの製造方法について説明する。
本発明の変形ガセットパウチは、先にも説明したように通常のガセットパウチとは異なり、自立性を向上させると同時に、外観面でも保形性容器に近づけ、更に、内容物をボトルなど他の容器に移し替える際、外にこぼすことなく安全且つ容易に移し替えられるよう、前記請求項１〜４に記載したように構成したものである。
【００３０】
従って、製袋自体は、例えば従来のスタンディングパウチ用の製袋機（２列突き合わせ製袋用）を利用して、上下のガセット部や注出口部、そして、胴部などのヒートシールパターンを所望の形状に変更し、また、注出口部や易開封性手段などを形成するためのトリミング装置、打ち抜き装置、レーザー光照射装置などと共に、膨らみ部を設けるための例えばエンボス装置などを付加することにより製袋することができる。
特に、上部ガセット部のヒートシールにおいては、注出口部をパウチの前後両側の上端の中、一方のみに設ける場合は、前後でそのヒートシールパターンが異なるため、ヒートシールを、例えば２セクションなどに分割して行うことにより、問題なくヒートシールすることができる。
【００３１】
【実施例】
以下に、図面を用いて本発明を更に具体的に説明する。
但し、本発明はこれらの図面に限定されるものではない。また、図面に付した符号は、異なる図面においても同じ名称の部分には一部同じ符号を用いた。
【００３２】
図１は、本発明の変形ガセットパウチの第１の実施例の構成を示す正面図である。
但し、内容物の充填は、左右いずれか一方の胴部ヒートシール部または注出口部ヒートシール部の全部または一部を未シールの開口部として、この部分から行い、内容物の充填後、その開口部をヒートシールして密封するものであるが、予め開口部もヒートシールした形状で示した。
【００３３】
図２は、前記図１に示した変形ガセットパウチのＡ−Ａ線断面図であり、注出口部を含む壁面フィルムのみに膨らみ部が設けられている場合の構成を示す図である。
図３は、前記図２と同様、図１に示した変形ガセットパウチのＡ−Ａ線断面図であるが、注出口部を含む壁面フィルムと共に、これと対向するガセット部の折り込みフィルムにも、壁面フィルム側と同形状の膨らみ部を対称形に設けた場合の構成を示す図である。
図４は、前記図１に示した変形ガセットパウチに内容物を充填し、密封した時の形状を示す斜視図である。
【００３４】
図１において、変形ガセットパウチ５０は、上下両側の端縁部がフィルムを内側に折り返してなるガセット部２、３を有する形状で形成され、胴部が、前後２面の壁面フィルム１の両側の端縁部を胴部ヒートシール部７、７でヒートシールして形成されると共に、パウチ上部のガセット部２の前側の上端の一部（中央部）に、壁面フィルム１と、これに対向するガセット部のフィルムを延長して、周縁部が注出口部ヒートシール部９により封止されてなる突出する形状の注出口部８が設けられ、この注出口部８の側部には易開封性手段としてノッチ１０が設けられ、また、上下のガセット部２、３のうち、注出口部８が延設された部分を除く部分が舟底形のシールパターンでヒートシールされ、更に、少なくとも注出口部８が延設されている壁面フィルム１に、その注出口部８からパウチの胴部にかけて、外側に膨らむ膨らみ部１２が設けられて構成されている。
【００３５】
尚、ノッチ１０に繋がる切り取り線１１の位置には、その片面または両面のフィルムに、更に、レーザー光照射などによるハーフカット線を設けることにより、引き裂きの方向性を一層安定化させることができる。
また、上記膨らみ部１２の形状は、特に限定するものではないが、例えば、図１に示すように、注出口部８が延設されている壁面フィルム１に、その注出口部からパウチ胴部の上部の一部までは、その幅と高さが大きく、その先の中間部では、パウチの下部に向かって徐々に幅と高さを小さくし、下部では垂直な押し罫状となるように設けることができる。
【００３６】
上記膨らみ部１２の高さ方向の形状は、図１に示した変形ガセットパウチ５０のＡ−Ａ線断面図である図２において、膨らみ部１２として示したような形状となる。
このような膨らみ部１２の高さは、例えば、注出口部からパウチ胴部の上部にかけての最高部で７〜２ｍｍが好ましく、４〜２ｍｍが更に好ましい。
そして、中間部で、上記の高さから徐々に低くし、下部の垂直な押し罫状となる部分では、高さが１．５〜０．５ｍｍ程度になるように設けることが好ましい。前記最高部において、７ｍｍを超える高さは、注出口部を開封した際に自然開口性を付与するためには既に十分であり、その必要性がなく、むしろ加工自体が難しくなると同時に、注出口が嵩張るようになり、空袋の取扱い性、充填シール機におけるスタッキング適性などが低下するため好ましくなく、また、最高部の高さが２ｍｍ未満の場合は、注出口の自然開口性に対する効果が薄くなるため好ましくない。
【００３７】
このような膨らみ部１２は、注出口部８を開封した時、注出口部８を含む上部においては、保形性のよい注出口を形成させ、中間部では、内容物の重量と容量でこの部分が外折れしてパウチが広がり、内容物の注出口部８への流動を容易にし、下部の垂直な押し罫状の部分では、そのリブ効果により、パウチの形態安定性と自立性の向上に寄与するものである。
【００３８】
また、膨らみ部１２は、図２に示したように、注出口部８が延設されている壁面フィルム１のみに設けてもよいが、図３に示した変形ガセットパウチ５０′のように、注出口部８を含む壁面フィルム１と共に、これと対向するガセット部２の折り込みフィルムにも膨らみ部１２′のように、壁面フィルム１側と同形状に対称形に設けることができる。このような構成を採った場合、当然のことながら、注出口部８を切り取り線１１の位置で開封した時、より広い断面積の開口部が自動的に保形性よく形成され、注出口部８がその立ち上がり部などで折れ曲がるようなことも確実に防止でき、一層容易に内容物を注出することができる。
【００３９】
以上のような構成を採ることにより、液状などの内容物を充填した変形ガセットパウチ５０は、図４に示したような形状となり、ボトルなどの保形性容器と類似した形態で、容量の割にコンパクトであり、自立性も安定し、取り扱い易く、外観にも優れている。
そして、内容物をボトルなど他の容器に移し替える際には、注出口部８の先端部をノッチ１０を始点として切り取り線１１の方向に引き裂くことにより、容易に注出口部８を開封することができる。
この時、切り取り線１１と、膨らみ部１２の上部との位置関係は、切り取り線１１により、膨らみ部１２の上端部が切り取られるように設定されているので、開封されたパウチ５０は、平面上に置くだけで注出口部８が自動的に保形性のよい状態で開口する。
【００４０】
従って、パウチ５０を手で持ち上げ、開口した注出口部８の先端部を移し替える容器の口部に差し込んで、パウチ５０を傾けることにより、内容物を外にこぼすことなく安全且つ容易に最後まで移し替えることができる。
【００４１】
次に、図５は、本発明の変形ガセットパウチの第２の実施例の構成を示す正面図であり、図６は、図５に示した変形ガセットパウチに内容物を充填し、密封した時の形状を示す斜視図である。
【００４２】
図５に示した変形ガセットパウチ６０は、前記図１に示した変形ガセットパウチ５０の構成において、パウチ上部の両側の角部を、舟底形のシールパターンに対応する形状に切り欠き部１４のように切り欠くと共に、パウチ６０の両側の胴部ヒートシール部７のシールパターンをそれぞれパウチ６０の中心側に弓状に湾曲する湾曲部１５を有する形状に変えてヒートシールして構成したものであり、その他の点では、図１に示した変形ガセットパウチ５０と同じ構成である。
この構成の場合も内容物の充填は、図１に示した変形ガセットパウチの場合と同様に、左右いずれか一方の胴部ヒートシール部または注出口部ヒートシール部の全部または一部を未シールの開口部とし、その部分から内容物を充填し、次いでヒートシールして密封することができる。
【００４３】
尚、上記パウチ６０の構成において、両側の胴部ヒートシール部７の外側は、内側の弓状に湾曲するラインに対応する形状にトリミングすることもでき、それにより、パウチ６０の両側の外側ラインも内側に湾曲する形状となるため、内容物充填後のパウチ６０の外観が一層スマートになると共に、取り扱いの際、パウチ胴部を手で持ち易くなる効果が得られる。
【００４４】
このような構成を採ることにより、前記図１に示した変形ガセットパウチ５０で説明した作用、効果に加えて、パウチ上部の両側の角部が、必要なヒートシール部５を残して切り欠かれているため、内容物充填後のパウチ６０の形状が、図５に示すように一層ボトルの形状に近づき、外観がスマートになると同時に、逆舟底形のヒートシール部によって、パウチ６０の上部両側の角部に形成されていた溝状の窪み部が無くなるため、陳列中などに、この部分に塵埃などが溜まることも無くなり、清潔性の点でも向上できる。
【００４５】
また、パウチ６０の両側の胴部ヒートシール部７を、それぞれパウチ６０の中心側に弓状に湾曲するシールパターンでヒートシールすることにより、パウチ６０の高さ方向の中間部がなだらかに狭められた形状となり、内容物充填後のパウチ６０の膨らみ形状を安定化させることができ、外観を一層向上させることができる。
【００４６】
図７は、本発明の変形ガセットパウチの第３の実施例の構成を示す正面図である。
また、図８は、図７に示した変形ガセットパウチのＡ−Ａ線断面図であり、注出口部８を含む壁面フィルムのみに膨らみ部が設けられている場合の構成を示す図である。
更に、図９は、図８と同様、図７に示した変形ガセットパウチのＡ−Ａ線断面図であるが、注出口部を含む壁面フィルムと共に、これと対向するガセット部の折り込みフィルムにも、壁面フィルム側と同形状の膨らみ部を対称形に設けた場合の構成を示す図である。
そして、図１０は、前記図７に示した変形ガセットパウチに内容物を充填し、密封した時の形状を示す斜視図である。
【００４７】
図７に示した変形ガセットパウチ７０は、前記図１に示した変形ガセットパウチ５０の構成において、上下のガセット部２、３のうち、注出口部８が延設されている部分を除く部分をヒートシールする舟底形のシールパターンを、その内側ラインが湾曲線ではなく、一定幅の底部から両側が対称形に傾斜を持って直線状に立ち上がるパターンに変更して、上下の舟底形ヒートシール部５、６をヒートシールし、また、パウチの注出口部を含む壁面フィルムに設ける膨らみ部の形状を、図７の膨らみ部１３に示すように、注出口部８からパウチ上部にかけての上部では、幅と高さが大きく、その先の中間部で幅と高さを徐々に小さくすると共に、曲線状に二股に分けて押し罫状とした膨らみ部をパウチ７０の下部近辺まで垂直に伸ばした形状に変更し、更に、膨らみ部１３の上端が注出口部８の切り取り線１１よりも僅かに下になる位置に設けて構成したものである。
【００４８】
このような構成を採ることにより、前記上下のガセット部２、３の舟底形ヒートシール部５、６の形状の変更による作用、効果については、パウチ７０の自立性に関しては略同様な効果を有するが、内容物を充填した時のパウチ７０の膨らみ形状が、特に上部と下部において横断面が多少矩形に近いものとなるため、パウチ７０の外観がやや異なったものとなる。
【００４９】
また、パウチの注出口部を含む壁面フィルムに設けた膨らみ部の形状および上端の位置の変更については、先ず、膨らみ部１３の上端の位置を切り取り線１１よりも僅かに下にすることにより、注出口部８を開封する際、切り取り線１１の位置に膨らみ部１３が介在しないため、よりスムーズに切り取り線１１に沿って引き裂いて開封することができるようになる。
【００５０】
しかし、開封時の注出口部８の自然開口性については、開封された注出口部８の先端に膨らみ部がないため、やや劣ったものとなる。只、実際の内容物の注出性に関しては、注出口部８の先端部のみを除いて、その他の部分には注出口部８からパウチ７０の上部にかけて、十分な幅と高さを持った膨らみ部１３が設けられているので、殆ど影響はなく良好に注出することができる。
【００５１】
また、膨らみ部１３は、前記パウチ７０の上部から下部にかけて、曲線状に二股に分かれ、下部では垂直な直線となる形状で、押し罫状に設けられており、この部分の膨らみ部１３は、内容物の重量と容量で外折れ状となり、そのリブ効果により、パウチ７０の形態安定性と自立性を向上させる効果を有している。
【００５２】
この変形ガセットパウチ７０の場合も、膨らみ部１３は、注出口部８を延設した壁面フィルム側だけでなく、これと対向するガセット部２の折り込みフィルム側にも、図９に示した膨らみ部１３′のように同形状で対称形に設けることができ、それにより、注出口部８の開口性とその保形性を一層向上させることができる。
【００５３】
図１１は、本発明の変形ガセットパウチの第４の実施例の構成を示す正面図である。
また、図１２は、図１１に示した変形ガセットパウチに内容物を充填し、密封した時の形状を示す斜視図である。
【００５４】
図１１に示した変形ガセットパウチ８０は、前記図７に示した変形ガセットパウチ７０の構成において、上部のガセット部２の両側の角部を、切り欠き部１４のように舟底形のシールパターンの斜辺に対応する形状に切り欠くと共に、両側の胴部ヒートシール部７を、図５に示した変形ガセットパウチ６０と同様に、パウチの中心側に弓状に湾曲する湾曲部１５を有するシールパターンでヒートシールして構成したものである。
【００５５】
このような構成を採ることにより、前記図７に示した変形ガセットパウチ７０で説明した作用、効果に加えて、パウチ上部の両側の角部が必要なヒートシール部５を残して切り欠かれているため、内容物充填後のパウチ８０の形状が、図１２に示すように一層ボトルの形状に似たものとなり、外観がスマートになると同時に、上部の逆舟底形のヒートシール部によって、パウチ８０の上部両側の角部に形成されていた溝状の窪み部が無くなるため、陳列中などに、この部分に塵埃などが溜まることも無くなり、清潔性も向上する。
【００５６】
また、パウチ８０の両側の胴部ヒートシール部７の湾曲部１５を有するシールパターンによる効果についても、前記図５に示した変形ガセットパウチ６０の場合と同様、内容物充填後のパウチ８０の膨らみ形状を安定化させることができ、外観を一層向上させることができる。
この構成の場合も、両側の胴部ヒートシール部７の外側を、内側の弓状に湾曲するラインに対応してトリミングしてもよく、それにより、内容物充填後のパウチ８０の外観の向上と、手で持ち易くなり、取り扱いが容易になる効果が得られる。
【００５７】
【発明の効果】
以上の説明で明らかなように、本発明によれば、内容物の充填が容易で、充填後のパウチが立体（六角柱）形状で保形性、自立性に優れると共に、使用時には、注出口部の開封を容易に行え、且つ、開封により自動的に注出口部が保形性のよい状態で開口し、また、内容物の他の容器への移し替えも安全且つ容易に行えるという、便利で使用適性および外観に優れた注出口付きの変形ガセットパウチを生産性よく提供できる効果を奏する。
【図面の簡単な説明】
【図１】本発明の変形ガセットパウチの第１の実施例の構成を示す正面図である。
【図２】前記図１に示した変形ガセットパウチのＡ−Ａ線断面図であり、注出口部を含む壁面フィルムのみに膨らみ部が設けられている場合の構成を示す図である。
【図３】前記図２と同様、図１に示した変形ガセットパウチのＡ−Ａ線断面図であり、注出口部を含む壁面フィルムと共に、これと対向するガセット部の折り込みフィルムにも、壁面フィルム側と同形状の膨らみ部を対称形に設けた場合の構成を示す図である。
【図４】前記図１に示した変形ガセットパウチに内容物を充填し、密封した時の形状を示す斜視図である。
【図５】本発明の変形ガセットパウチの第２の実施例の構成を示す正面図である。
【図６】前記図５に示した変形ガセットパウチに内容物を充填し、密封した時の形状を示す斜視図である。
【図７】本発明の変形ガセットパウチの第３の実施例の構成を示す正面図である。
【図８】前記図７に示した変形ガセットパウチのＡ−Ａ線断面図であり、注出口部を含む壁面フィルムのみに膨らみ部が設けられている場合の構成を示す図である。
【図９】前記図８と同様、図７に示した変形ガセットパウチのＡ−Ａ線断面図であり、注出口部を含む壁面フィルムと共に、これと対向するガセット部の折り込みフィルムにも、壁面フィルム側と同形状の膨らみ部を対称形に設けた場合の構成を示す図である。
【図１０】前記図７に示した変形ガセットパウチに内容物を充填し、密封した時の形状を示す斜視図である。
【図１１】本発明の変形ガセットパウチの第４の実施例の構成を示す正面図である。
【図１２】前記図１１に示した変形ガセットパウチに内容物を充填し、密封した時の形状を示す斜視図である。
【符号の説明】
１  壁面フィルム
２、３  ガセット部
４  折り込みフィルム切り欠き部
５  舟底形ヒートシール部（上部）
６  舟底形ヒートシール部（下部）
７  胴部ヒートシール部
８  注出口部
９  注出口部ヒートシール部
１０  ノッチ
１１  切り取り線
１２、１２′、１３、１３′  膨らみ部
１４  切り欠き部
１５  湾曲部
５０、５０′、６０、７０、７０′、８０  変形ガセットパウチ
【図１】
0004011736.tif 000002
【図２】
0004011736.tif 000003
【図３】
0004011736.tif 000004
【図４】
0004011736.tif 000005
【図５】
0004011736.tif 000006
【図６】
0004011736.tif 000007
【図７】
0004011736.tif 000008
【図８】
0004011736.tif 000009
【図９】
0004011736.tif 000010
【図１０】
0004011736.tif 000011
【図１１】
0004011736.tif 000012
【図１２】
0004011736.tif 000013